(57)【特許請求の範囲】
【請求項１】
コンクリート型枠の製品の継手面を形成させる側枠の定位置に、継手金物の雄を取付フランジが側枠の内側に位置し、中間に係止溝を有する接合体が側枠の孔を通って外側に出るように固定させる固定構造であって、継手金物の雄の接合体に、その係止溝に対応する一対の切込を形成されたキャップが冠着されて、該キャップの先端外周は、前記側枠にあけたテーパーまたは段付の孔に適合するテーパーまたは段付面とされ、前記キャップへ開口部から嵌め着けられる締め具は、その下部内側にキャップの切込を経て接合体の係止溝に係合される一対の係合縁を形成され、キャップの面板に対応する端板には、キャップの押し下げを行わせるボルトを螺合されている特徴とするコンクリート型枠へ継手金具の雄を固定する構造。
【発明の詳細な説明】
【０００１】
【発明の属する技術分野】
本発明は、コンクリート型枠に継手金物の雄を固定させる固定構造に関する。
【０００２】
【従来の技術】
コンクリート製品の継手金具として、図５に示す構造のものは、簡単な操作で確実な継手ができることは知られている。
【０００３】
前記継手金具の雄は、コンクリート型枠における側枠の孔から外へ出る接合体を掴んで位置決めフランジが側枠へ圧接されるように固定しなければならないものであるが、このよう条件で雄を固定できる技術がないため、継手金具をコンクリートの継手に使用することはできない現状である。
【０００４】
【発明が解決しようとする課題】
本発明は、コンクリート型枠における側枠の孔から外へ出る接合体を掴んで位置決めフランジが側枠へ圧接されるように継手金具の雄をコンクリート型枠へ固定させる固定構造を提供することをその課題とする。
【０００５】
【課題を解決するための手段】
前記課題を解決するため本発明に係るコンクリート型枠へ継手金具の雄を固定する構造は、コンクリート型枠の製品の継手面を形成させる側枠の定位置に、継手金物の雄を取付フランジが側枠の内側に位置し、中間に係止溝を有する接合体が側枠の孔を通って外側に出るように固定させる固定構造であって、継手金物の雄の接合体に、その係止溝に対応する一対の切込を形成されたキャップが冠着されて、該キャップの先端外周は、前記側枠にあけたテーパーまたは段付の孔に適合するテーパーまたは段付面とされ、前記キャップへ開口部から嵌め着けられる締め具は、その下部内側にキャップの切込を経て接合体の係止溝に係合される一対の係合縁を形成され、キャップの面板に対応する端板には、キャップの押し下げを行わせるボルトを螺合されている構成を採用することを特徴としている。
【０００６】
【発明の実施の形態】
以下に本発明に係るコンクリート型枠へ継手金具の雄を固定する構造の実施形態を説明する。
【０００７】
図１〜図５において符号１は、継手金具Ａにおける雄である。この雄１は、図２、図３、図４に示すようにコンクリート型枠における側枠２の内面に当接させる位置決めフランジ３と、側枠２にあけられたテーパーまたは段付の孔４から外へ出て、後記する雌との接合を行わせる先端にテーパー部５を有する接合体６と、この接合体６の長さ方向の中間部に環状に設けられた係止溝７と、位置決めフランジ３側にねじ８により取付けられるインサート部９とを備えるか、または、位置決めフランジ３と接合体６とインサート部９とが鋳物等により一体形成される場合もある。
【０００８】
継手金具Ａにおける雌１０は、図５に示すように雄１の接合体６を容入させるように中心に設けられた受孔１１と、この受孔１１の周囲に接合体６の係止溝７に対応させて、３個かそれ以上を設けられた心向き孔１２と、この心向き孔１２へ嵌合して、ゴム等の弾性体１３の弾力により接合体６の係止溝７ヘ圧入されるようにした係合部１４と、この係合部１４の先端の接合体６が挿入される側に設けられている斜面１５とを備える。
【０００９】
前記した継手金具Ａの雄１を固定する固定構造は、図１〜図４に示す通り、雄１の接合体６に被せるキャップ１６と、このキャップ１６の両側に設けられる切込１７から接合体６の係止溝７へ係合縁１８を係合させる締め具１９と、締め具１９の端板２０に螺合させて、キャップ１６を押圧させるボルト２１とを備える構成である。
【００１０】
前記キャップ１６は、内部の空間２２に図３、図４に示すように接合体６を容入させ、この接合体６の係止溝７に対応させて、キャップ１６の両側壁に図１に示すように一対の切込１７を形成され、キャップ１６の先端外周は、コンクリート型枠における側枠２に設けられたテーパーまたは段付の孔４に係合するようにテーパーまたは段付面２３とされ、キャップ１６の面板２４の中心にはボルト先の係合凹部２５を形成されている。
【００１１】
前記締め具１９は、図１に示すように開口部２６からキャップ１６ヘ嵌め着けることができる箱型に形成されていて、下部の内側にキャップ１６の一対の切込１７を経て接合体６の係止溝７へ係合させる一対の係合縁１８を設けられ、端板２０には先端がキャップ１６における面板２４の係合凹部２５に対応するようにボルト２１を螺合させてある。
【００１２】
前記実施形態に示す固定構造により継手金具Ａの雄１を固定するには、コンクリート型枠の側枠２にあけられたテーパーまたは段付孔４から図２に示すように雄１の接合体６を外に出し、位置決めフランジ３を側枠２の内面へ当てて、接合体６に対応させたキャップ１６を図３に示すように接合体６に冠せる。そして、キャップ１６の先端外周のテーパーまたは段付面２３を側枠２のテーパーまたは段付孔４に係合させると、キャップ１６が側枠２に支持される。
【００１３】
前記のように側枠２にキャップ１６が支持されたら、キャップ１６の両側に設けられた切込１７へ締め具１９の一対の係合縁１８を合わせて、図４に示すように締め具１９をキャップ１６に嵌め付ければ、締め具１９の係合縁１８がキャップ１６の切込１７を経て接合体６の係止溝７に係合し、締め具１９の端板２０に螺合させたボルト２１の先端は、キャップ１６の面板２４の係合凹部２５に対応する。この状態においてボルト２１の締め着けを行えば、ボルト２１によりキャップ１６の係合凹部２５が抑えられ、その反力によって締め具１９が引かれる。このため、接合体６は係止溝７を締め具１９の係合縁１８により引かれて、位置決めフランジ３が側枠２へ密着した状態で固定され、雄１のインサート部材９がインサートされたコンクリート製品２７の成形を可能とする。
【００１４】
コンクリート製品２７の成形が終わって製品２７を離型するときは、ボルト２１を緩めて、キャップ１６の係合凹部２５から離れさせ、締め具１９を後方にずらしてキャップ１６から外し、接合体６からキャップ１６を取り去れば、側枠２のテーパー孔４が開放されて製品２７の離型を支障なく行わせるようになる。
【００１５】
【発明の効果】
本発明は前述した通り、継手金具の雄をコンクリート型枠における側枠の定位置ヘ確実に固定することができるから、継手面から該雄が突出されて、図４に示す通り雌と係合し、強固な継手を構成するコンクリート製品の成形が可能となるものである。
【図面の簡単な説明】
【図１】本発明に係るコンクリート型枠へ継手金具の雄を固定する構造の分解斜視図である。
【図２】継手金物の接合体へキャップが被せられる前の縦断正面図である。
【図３】継手金物の接合体へキャップが被せられた後の縦断正面図である。
【図４】キャップの切込へ締め具の係止縁を挿し込んで、ボルトによりキャップを押さえさせた縦断正面図である。
【図５】継手金具により継手されたコンクリート製品の縦断正面図である。
【符号の説明】
１  継手金具Ａの雄
２  側枠
４  テーパーまたは段付の孔
６  接合体
７  係止溝
１６  キャップ
１７  切込
１８  係合縁
１９  締め具
２０  端板
２１  ボルト
２３  テーパーまたは段付面
【図１】
0004332286.tif 000002
【図２】
0004332286.tif 000003
【図３】
0004332286.tif 000004
【図４】
0004332286.tif 000005
【図５】
0004332286.tif 000006